(57)【特許請求の範囲】
【請求項１】
下前身頃（３６）に重合する重合縁（１９）が上前身頃（３７）の縁部に略合致するように上前身頃（３７）に配置されるアップリケ片（１７）の輪郭データ（Ｄ１ｂ）を入力する工程と、前記輪郭データ（Ｄ１ｂ）に沿った内周データ（Ｄ４ｂ）及び外周データ（Ｄ６ｂ）を作成する工程と、前記内周データ（Ｄ４ｂ）及び外周データ（Ｄ６ｂ）からアップリケ片（１７）を上前身頃（３７）に縫い付けるためのサテンステッチデータ（Ｄ７ｂ）を作成する工程とを含み、
前記サテンステッチデータ（Ｄ７ｂ）を作成する工程においては、重合縁（１９）を縫い付けるサテンステッチ（４０ｘ）の糸と、重合縁（１９）以外を縫い付けるサテンステッチ（４０ｂ）の糸とを切替えるための糸替えデータを作成し、従ってこれらの糸間は不連続になるとともに、
前記重合縁（１９）以外を縫い付けるサテンステッチデータ（Ｄ７ｂ）を作成する工程においては、上前身頃（３７）の非縁部から縁部へ向かって生成される順ステッチ部（４０１）のデータと、前記順ステッチ部（４０１）の最終ステッチである生成端から上前身頃（３７）の非縁部へ返すようにサテンステッチで少なくとも４針生成されて終了する返しステッチ部（４０２）のデータとを作成することにより、前記糸間の不連続にも拘わらず、順ステッチ部（４０１）の終了点の糸端がほつれないようにするとともに、重合縁（１９）が配置誤差によって上前身頃（３７）の縁部からはみ出した場合でも、返しステッチ部（４０２）の終了点の糸端をアップリケ片（１７）のみならず上前身頃（３７）にもかかるようにすることを特徴とするアップリケの刺繍データ作成方法。
【請求項２】
前記サテンステッチデータを作成する工程において、前記順ステッチ部のデータは、上前身頃の非縁部から縁部に到達するまで略一定のピッチで作成される請求項１記載のアップリケの刺繍データ作成方法。
【請求項３】
前記サテンステッチデータを作成する工程において、前記順ステッチ部のデータは、上前身頃の非縁部では略一定のピッチで作成され、上前身頃の縁部の手前から縁部まではジャンプステッチのデータで作成される請求項１記載のアップリケの刺繍データ作成方法。
【請求項４】
前記サテンステッチデータを作成する工程において、前記順ステッチ部のデータは、上前身頃の非縁部では略一定のピッチで作成され、上前身頃の縁部の手前から縁部まではより粗なるピッチで作成される請求項１記載のアップリケの刺繍データ作成方法。
【請求項５】
前記サテンステッチデータを作成する工程において、前記返しステッチ部の最後ステッチの生成端から該最後ステッチに重ね縫いされて該最後ステッチの途中で終了するステッチ長の短い縫い止めステッチのデータが作成される請求項１、２、３又は４記載のアップリケの刺繍データ作成方法。
【発明の詳細な説明】
【０００１】
【産業上の利用分野】
本発明は、アップリケの刺繍構造と、その刺繍縫いのための刺繍データ作成方法とに関するものである。
【０００２】
【従来の技術】
図２０に示すように、前明きタイプのユニフォーム上着５０では、下前身頃５１と上前身頃５２とが一定の重ね代で重合及び離間する。これらの前身頃５１，５２にチーム名を表したアップリケを刺繍縫い付けするとき、アップリケの途中が下前身頃５１と上前身頃５２との重合部で分断される場合がある。このような場合には、下前身頃５１と上前身頃５２とが重合したときに、同様に一定の重ね代で重合して連続的な総合輪郭をなすように形成された、下側及び上側のアップリケ片５３，５４が使用される。
【０００３】
図２０及び図２１に示した両アップリケ片５３，５４は、重合したときに「Ａｎｇｅｌｓ」の連続文字（総合輪郭）を構成するものである。下側のアップリケ片５３は「ｇ」字内の右位置で終って、その終縁が重合縁５５となっており、上側のアップリケ片５４は「ｇ」字内の左位置で終って、その終縁が重合縁５６となっている。下側のアップリケ片５３は下前身頃５１に、上側のアップリケ片５４は上前身頃５２に各々配置され、自動制御式の刺繍ミシンによりサテンステッチ５７で刺繍縫い付けされる。
【０００４】
また、アップリケの縁取りを明確にしたり強調したりするために、アップリケ片５３，５４の色彩とサテンステッチ５７の色彩とを変えたいことがある。例えば、アップリケ片５３，５４が青色のときに、サテンステッチ５７を赤色にすること等である。しかし、もしこの例において、上側のアップリケ片５４の重合縁５６を赤色のサテンステッチで縫い付けると、両アップリケ片５３，５４が重合したときに、この赤色のサテンステッチが、青色のアップリケ片５３，５４の「ｇ」字内を横切ることになるため、見栄えが悪くなる。
【０００５】
そこで、従来は、図２１及び図２２に示すように、上側のアップリケ片５４については、赤色のサテンステッチ５７を上前身頃５２の縁部に到達したときに終了させ、上前身頃５２を自動制御式の刺繍ミシンから外した後、別の小型刺繍ミシンにセットし直して、重合縁５６だけを青色のサテンステッチ５８で縫い付けるようにしていた。
【０００６】
【発明が解決しようとする課題】
ところが、上記のように、赤色のサテンステッチ５７を上前身頃５２の縁部に到達したときに終了させると、該サテンステッチ５７の最終針落ち点５９の糸端が上着５０の使用時にほつれやすいという問題があった。
【０００７】
また、アップリケ片５４を上前身頃５２に配置する際、左右に±２ｍｍ程度の配置誤差は避けられないため、アップリケ片５４の重合縁５６が上前身頃５２の縁部より１〜２ｍｍはみ出ることがある。その場合、サテンステッチ５７の最終針落ち点５９の糸端は、アップリケ片５４にはかかっても、上前身頃５２にはかからないため、アップリケ片５４の止めが利かず、糸端もさらにほつれやすくなるという問題があった。
【０００８】
本発明の目的は、上記課題を解決し、アップリケ片の縁部が被加工地の縁部に略合致するように配置され、アップリケ片を被加工地に縫い付けるサテンステッチが被加工地の縁部の近傍で終了した場合でも、サテンステッチの糸端のほつれを防止できるとともに、アップリケ片の縁部が配置誤差により被加工地の縁部よりはみ出た場合でも、アップリケ片の止めが利くアップリケの刺繍構造及び刺繍データ作成方法を提供することにある。
【０００９】
【課題を解決するための手段】
上記目的を達成するために、本発明者らが検討したアップリケの刺繍構造は、上前身頃と、下前身頃に重合する重合縁が上前身頃の縁部に略合致するように上前身頃に配置されたアップリケ片と、アップリケ片を上前身頃に縫い付けるためのサテンステッチとを備え、前記サテンステッチは、重合縁を縫い付ける、糸の色彩がアップリケ片の色彩と略同一であるサテンステッチと、重合縁以外を縫い付ける、糸の色彩がアップリケ片の色彩とは相異するサテンステッチとを含み、従ってこれらの糸間は不連続であり、前記重合縁以外を縫い付けるサテンステッチは、上前身頃の非縁部から縁部へ向かって生成された順ステッチ部と、前記順ステッチ部の生成端から上前身頃の非縁部へ返すように少なくとも４針生成されて終了した返しステッチ部とを含むことにより、前記糸間の不連続にも拘わらず、返しステッチ部の終了点の糸端がほつれないようにするとともに、重合縁が配置誤差によって上前身頃の縁部からはみ出した場合でも、返しステッチ部の終了点の糸端をアップリケ片のみならず上前身頃にもかかるようにして、アップリケ片の止めが利くようにしたことを特徴とする。返しステッチ部の生成針目数は、好ましくは６針以上であり、さらに好ましくは１０針以上である。
【００１０】
順ステッチ部の態様としては、（１）上前身頃の非縁部から縁部に到達するまで略一定のピッチで生成された態様、（２）上前身頃の非縁部では略一定のピッチで生成され、上前身頃の縁部の手前から縁部まではジャンプステッチで生成された態様、（３）上前身頃の非縁部では略一定のピッチで生成され、上前身頃の縁部の手前から縁部まではより粗なるピッチで生成された態様、等を例示できる。
【００１１】
また、返しステッチ部の最後ステッチの生成端から該最後ステッチにステッチ長の短い縫い止めステッチが重ね縫いされ、該最後ステッチの途中で該縫い止めステッチが終了することが好ましい。
【００１２】
そして、本発明のアップリケの刺繍データ作成方法は、下前身頃に重合する重合縁が上前身頃の縁部に略合致するように上前身頃に配置されるアップリケ片の輪郭データを入力する工程と、前記輪郭データに沿った内周データ及び外周データを作成する工程と、前記内周データ及び外周データからアップリケ片を上前身頃に縫い付けるためのサテンステッチデータを作成する工程とを含み、前記サテンステッチデータを作成する工程においては、重合縁を縫い付けるサテンステッチの糸と、重合縁以外を縫い付けるサテンステッチの糸とを切替えるための糸替えデータを作成し、従ってこれらの糸間は不連続になるとともに、前記重合縁以外を縫い付けるサテンステッチデータを作成する工程においては、上前身頃の非縁部から縁部へ向かって生成される順ステッチ部のデータと、前記順ステッチ部の最終ステッチである生成端から上前身頃の非縁部へ返すようにサテンステッチで少なくとも４針生成されて終了する返しステッチ部のデータとを作成することにより、前記糸間の不連続にも拘わらず、順ステッチ部の終了点の糸端がほつれないようにするとともに、重合縁が配置誤差によって上前身頃の縁部からはみ出した場合でも、返しステッチ部の終了点の糸端をアップリケ片のみならず上前身頃にもかかるようにすることを特徴とする。返しステッチ部の生成針目数は、好ましくは６針以上であり、さらに好ましくは１０針以上である。
【００１３】
サテンステッチデータを作成する工程において、順ステッチ部のデータの態様としては、（１）上前身頃の非縁部から縁部に到達するまで略一定のピッチで作成される態様、（２）上前身頃の非縁部では略一定のピッチで作成され、上前身頃の縁部の手前から縁部まではジャンプステッチのデータで作成される態様、（３）上前身頃の非縁部では略一定のピッチで作成され、上前身頃の縁部の手前から縁部まではより粗なるピッチで作成される態様、等を例示できる。
【００１４】
また、サテンステッチデータを作成する工程において、返しステッチ部の最後ステッチの生成端から最後ステッチに重ね縫いされて最後ステッチの途中で終了するステッチ長の短い縫い止めステッチのデータが作成されることが好ましい。
【００１５】
なお、本発明でいう被加工地及びアップリケ片の素材は、一般的な布地のみならず、革、樹脂シート、複合シート等も含む。
【００１６】
【作用】
本発明のアップリケの刺繍データ作成方法によれば、アップリケ片の重合縁が上前身頃の縁部に略合致するように配置され、アップリケ片を上前身頃に縫い付けるサテンステッチが上前身頃の縁部の近傍で終了した場合でも、サテンステッチは、上前身頃の縁部すなわち順ステッチ部の生成端で終了するのではなく、順ステッチ部の生成端から上前身頃の非縁部へ返すように生成された返しステッチ部で終了するので、その終了点の糸端がほつれにくい。また、アップリケ片の縁部が配置誤差によって上前身頃の縁部からはみ出した場合でも、返しステッチ部は少なくとも４針生成されるので、該返しステッチの終了点の糸端は、アップリケ片のみならず上前身頃にもかかるようにでき、アップリケ片の止めが利く。
【００１７】
サテンステッチの順ステッチ部が、上前身頃の非縁部から縁部に到達するまで略一定のピッチで生成された場合には、この順ステッチ部に重なって生成される返しステッチ部が盛り上がり、総針目数も多くなる。しかし、総針目数が多いので、アップリケ片の縁部の縫い付け力は強くなる。
【００１８】
サテンステッチの順ステッチ部が、上前身頃の非縁部では略一定のピッチで生成され、上前身頃の縁部の手前から縁部まではジャンプステッチで生成された場合には、このジャンプステッチに重なって生成される返しステッチ部がほとんど盛り上がらず、見栄えが良くなり、総針目数も少なくて済む。
【００１９】
サテンステッチの順ステッチ部が、上前身頃の非縁部では略一定のピッチで生成され、上前身頃の縁部の手前から縁部まではより粗なるピッチで生成された場合には、この粗なるピッチの順ステッチ部に重なって生成される返しステッチ部がほとんど盛り上がらず、見栄えが良くなり、総針目数も少なくて済む。
【００２０】
サテンステッチの返しステッチ部の最後ステッチの生成端から該最後ステッチにステッチ長の短い縫い止めステッチが重ね縫いされ、該最後ステッチの途中で該縫い止めステッチが終了した場合には、該返しステッチ部の最後ステッチが縫い止めステッチによって上前身頃に強く止められ、糸端がさらにほつれにくくなるとともに、最終針落ち点が隠されて目立たなくなる。
【００２１】
【実施例】
以下、本発明を具体化した実施例について、図１〜図１９を参照して説明する。まず、この実施例に使用する装置について、図１を参照して説明する。切断データ及び刺繍データの作成装置の中心は制御装置１であり、ＣＰＵ、ＲＯＭ、ＲＡＭ、接続用バス、入出力インターフェイス等からなるマイクロコンピュータが使用されている。この制御装置１には、入力装置としてキーボード３、マウス２９、デジタイザ２及びイメージ・スキャナ９が接続されている。制御装置１の入力モードをキーボード３で切替えることにより、デジタイザ２とイメージ・スキャナ９は選択的に使用される。また、制御装置１には、表示装置としてディスプレイ４が接続され、印刷装置としてＸ−Ｙプロッタ５が接続され、外部記憶装置としてフロッピーディスク装置６とテープパンチャ７とが接続されている。
【００２２】
なお、前記データ作成装置の構成は一例に過ぎず、例えば外部記憶装置として、ハードディスク装置（リムーバブル式を含む。）、磁気テープ装置、磁気カード装置、光磁気ディスク装置、光ディスク装置、ＩＣカード装置等を使用することもできる。
【００２３】
１０はアップリケ片を切断するカット機で、生地をセットする盤面１１と、Ｘ−Ｙ方向に駆動されると共に必要に応じてＺ軸方向に往復駆動されるヒートカッタ１２と、操作キー１３と、入力装置としてのフロッピーディスク装置１４とを備えている。このフロッピーディスク装置１４には、前記フロッピーディスク装置６で切断データの記録されたフロッピーディスクＦＤ１が挿入される。
【００２４】
なお、ヒートカッタ以外にも、例えばカット刃、レーザ切断装置、液体ジェット切断装置等を使用することもできる。また、前記データ作成装置にフロッピーディスク装置以外の前記外部記憶装置を使用する場合には、それに対応する外部記憶装置をカット機にも使用する。また、前記データ作成装置とカット機１０とを伝送ケーブル又は無線伝送装置で接続し、データ作成装置で作成された切断データをカット機１０に直接伝送することもできる。
【００２５】
２０はアップリケ片を被加工地に刺繍縫い付けする刺繍ミシンで、上糸が通された針を上下駆動する複数頭の刺繍ヘッド２１と、釜及び下糸ボビンが内蔵されたベッド２２と、下前身頃３６又は上前身頃３７を展張する刺繍枠２４と、該刺繍枠２４の駆動装置（図示略）等とを備え、キャスタ２６付きで移動可能な台車２７にはテーブル２８上に配置可能なミシン制御装置３０が支持されている。このミシン制御装置３０は、制御盤３１、キーボード３２、ディスプレイ３３、制御盤３１に内蔵された入力装置としてのフロッピーディスク装置３４等を備えている。このフロッピーディスク装置３４には、前記フロッピーディスク装置６で刺繍データの記録されたフロッピーディスクＦＤ２が挿入される。
【００２６】
なお、前記データ作成装置にフロッピーディスク装置以外の前記外部記憶装置を使用する場合には、それに対応する外部記憶装置をミシン制御装置３０にも使用する。また、前記データ作成装置とミシン制御装置３０とを伝送ケーブル又は無線伝送装置で接続し、データ作成装置で作成された刺繍データをミシン制御装置３０に直接伝送することもできる。
【００２７】
この実施例では、図１４に示すように、重合したときに「Ａｎｇｅｌｓ」の連続文字（総合輪郭）を構成する下側及び上側のアップリケ片１６，１７を生地から切断するための切断データと、各アップリケ片１６，１７を、ユニフォーム上着３５の下前身頃３６及び上前身頃３７に各々刺繍縫い付けするための刺繍データとを作成する。前記従来例と同じく、下前身頃３６と上前身頃３７とは一定の重ね代で重合及び離間し、その重合時には、両アップリケ片１６，１７も同様に一定の重ね代で重合する。また、図１３に示すように、下側のアップリケ片１６は「ｇ」字内の右位置で終って、その終縁が重合縁１８となっており、上側のアップリケ片１７は「ｇ」字内の左位置で終って、その終縁が重合縁１９となっている。これらの切断データ及び刺繍データの作成方法は、図２に示すような手順で進行する。図２における矢印付き点線はデータの流れを示している。以下、この手順を詳述する。
【００２８】
（１）アップリケ片の輪郭データの作成
▲１▼  図３（ａ）に示すように、前記デジタイザ２のボード面に「Ａｎｇｅｌｓ」の総合輪郭を描いた型紙８を貼り付ける。この総合輪郭の複数の要点Ｒ（その一部のみを図示する。）をボタン・カーソル，スタイラス・ペン等のポインティング・デバイス４７でピックアップすることにより、総合輪郭データＤｔを入力する。図３（ｂ）に示すように、ディスプレイ４には、順にピックアップした点と点の間が線で結ばれて表示される。なお、最初にピックアップする要点Ｒｓはどこでもよい（同図では左端とした）。ディスプレイ４に表示された輪郭は、マウス２９により修正したり、後述する切断データや刺繍データの開始点を指示したりすることができる。
【００２９】
なお、前記デジタイザ２に代えてイメージ・スキャナ９を使用する場合には、イメージ・スキャナ９で型紙８の輪郭を直接読み込み、読み込んだ輪郭をディスプレイ４に表示して、上記のようにマウス２９により修正したり指示したりすればよい。
【００３０】
▲２▼  続いて、下側のアップリケ片１６の重合縁を表わす重合縁データＤａ（「ｇ」字内の右位置）と、上側のアップリケ片１７の重合縁を表わす重合縁データＤｂ（「ｇ」字内の左位置）とを、前記ポインティング・デバイス４７でピックアップすることにより入力する。
【００３１】
▲３▼  制御装置１は、前記総合輪郭データＤｔを重合縁データＤａで切り取って、下側のアップリケ片１６の輪郭データＤ１ａを自動的に作成し、また、総合輪郭データＤｔを重合縁データＤｂで切り取って、上側のアップリケ片１７の輪郭データＤ１ｂを自動的に作成する。
【００３２】
（２）切断データの自動作成
制御装置１は、前記各輪郭データＤ１ａ，Ｄ１ｂから、図４に示すような、下側及び上側のアップリケ片１６，１７の各切断データＤ２ａ，Ｄ２ｂを自動的に作成する。各切断データＤ２ａ，Ｄ２ｂはフロッピーディスク装置６によりフロッピーディスクＦＤ１に記録される。
【００３３】
（３）刺繍データの自動作成
▲１▼  次に、制御装置１は、前記各輪郭データＤ１ａ，Ｄ１ｂから、図５に示すような、各アップリケ片１６，１７の配置に必要な位置決め用仮縫いデータＤ３ａ，Ｄ３ｂを自動的に作成する。また、制御装置１は、各位置決め用仮縫いデータＤ３ａ，Ｄ３ｂの開始点Ｓａ，Ｓｂを、各重合縁データＤａ，Ｄｂとの交点（上側の交点でも下側の交点でもよい。）に自動設定する。各位置決め用仮縫いデータＤ３ａ，Ｄ３ｂ（開始点Ｓａ，Ｓｂのデータを含む。以下同じ。）はフロッピーディスク装置６によりフロッピーディスクＦＤ２に記録される。
【００３４】
▲２▼  次に、制御装置１は、前記各輪郭データＤ１ａ，Ｄ１ｂから、図６に示すような、各輪郭データＤ１ａ，Ｄ１ｂの内側に沿った内周データＤ４ａ，Ｄ４ｂを自動作成する。
【００３５】
▲３▼  次に、制御装置１は、前記各輪郭データＤ１ａ，Ｄ１ｂと内周データＤ４ａ，Ｄ４ｂとから、図７に示すような、各アップリケ片１６，１７の止め縫いに必要な止め縫いデータＤ５ａ，Ｄ５ｂを自動作成する。止め縫いデータＤ５ａ，Ｄ５ｂとしてこの実施例では、縁部以外については、予めキーボート３から制御装置１に入力したＥステッチの縫い込み方向及び縫い込みから次の縫い込みまでの縫目数に基づいてＥステッチデータが作成され、縁部については、歩きステッチデータが作成される。また、止め縫いデータはＥステッチや歩きステッチに限定されず、例えば図８に示すような別種類のステッチによる止め縫いデータＤ５ａ等を作成することも可能である。各止め縫いデータＤ５ａ，Ｄ５ｂはフロッピーディスク装置６によりフロッピーディスクＦＤ２に記録される。
【００３６】
▲４▼  次に、制御装置１は、前記各輪郭データＤ１ａ，Ｄ１ｂから、図９に示すような、各輪郭データＤ１ａ，Ｄ１ｂの外側に沿った外周データＤ６ａ，Ｄ６ｂを自動作成する。
【００３７】
▲５▼  次に、制御装置１は、前記内周データＤ４ａ，Ｄ４ｂと外周データＤ６ａ，Ｄ６ｂとの間をジグザクに結んで、図１０の（ａ）（ｂ）に示すような、各アップリケ片１６，１７の刺繍縫い付けに必要なサテンステッチデータＤ７ａ，Ｄ７ｂを作成する。また、制御装置１は、上側のアップリケ片１７の重合縁１９を縫い付けるサテンステッチ４０ｘの糸と、該アップリケ片１７の残部を縫い付けるサテンステッチ４０ｂの糸とを切替えるための糸替えデータ（図示略）を作成する。各サテンステッチデータＤ７ａ，Ｄ７ｂ（糸替えデータを含む。以下同じ。）はフロッピーディスク装置６によりフロッピーディスクＦＤ２に記録される。
【００３８】
ここで、サテンステッチデータＤ７ｂを作成する際に、その終了部にはほつれ止め処理としての返しステッチ部のデータが作成され、さらに、返しステッチ部の最後ステッチには縫い止めステッチのデータが作成される。これらの返しステッチ部及び縫い止めステッチの各データの一つ一つは、実際の返しステッチ部及び縫い止めステッチの一つ一つに対応しているので、実際の返しステッチ部及び縫い止めステッチを示す図１５〜図１９を援用して、以下に説明する。
【００３９】
図１５〜図１７は、図１３のＸＶ〜ＸＶＩＩ矢示部における三種類の態様の拡大図であり、赤色のサテンステッチ４０ｂは上前身頃３７の縁部の近傍で終了する。このサテンステッチ４０ｂは、上前身頃３７の非縁部から縁部へ向かって生成された順ステッチ部４０１と、順ステッチ部４０１の生成端から上前身頃３７の非縁部へ返すように９針乃至１５針生成されて終了した返しステッチ部４０２とを含んでいる。これらの順ステッチ部４０１及び返しステッチ部４０２を生成するための各データは、サテンステッチデータＤ７ｂを作成する際に自動的に作成され、各データのピッチは以下の各態様における順ステッチ部４０１及び返しステッチ部４０２のピッチと当然に対応し同一である。
【００４０】
さらに詳述すると、図１５は、順ステッチ部４０１が、上前身頃３７の非縁部から縁部に到達するまで略一定のピッチで生成された第一態様を示している。同図におけるＳ１を第１針落ち点とすると、この第１針落ち点Ｓ１からＳ付数字の順で第２０針落ち点Ｓ２０までが略一定ピッチの順ステッチ部４０１の一部であり、第２０針落ち点Ｓ２０から第３５針落ち点Ｓ３５までが略一定ピッチの返しステッチ部４０２（１５針）である。
【００４１】
図１６は、順ステッチ部４０１が、上前身頃３７の非縁部では略一定のピッチで生成され、上前身頃３７の縁部の手前から縁部までは１針のジャンプステッチ４０３で生成された第二態様を示している。同図におけるＳ１を第１針落ち点とすると、この第１針落ち点Ｓ１からＳ付数字の順で第９針落ち点Ｓ９までが順ステッチ部４０１の略一定ピッチ部分であり、第９針落ち点Ｓ９から第１０針落ち点Ｓ１０までが順ステッチ部４０１のジャンプステッチ４０３であり、第１０針落ち点Ｓ１０から第２５針落ち点Ｓ２５までが略一定ピッチの返しステッチ部４０２（１５針）である。
【００４２】
図１７は、順ステッチ部４０１が、上前身頃３７の非縁部では略一定のピッチで生成され、上前身頃３７の縁部の手前から縁部まではより粗なるピッチで生成された第三態様を示しており、返しステッチ部４０２も粗なるピッチで生成されている。同図におけるＳ１を第１針落ち点とすると、この第１針落ち点Ｓ１からＳ付数字の順で第９針落ち点Ｓ９までが順ステッチ部４０１の略一定ピッチ部分であり、第９針落ち点Ｓ９から第１４針落ち点Ｓ１４までが順ステッチ部４０１の粗ピッチ部分であり、第１４針落ち点Ｓ１４から第２３針落ち点Ｓ２３までが粗ピッチの返しステッチ部４０２（９針）である。
【００４３】
ところで、アップリケ片１７の重合縁１９は、上前身頃３７の縁部に完全に一致するように配置されるのが理想である。しかし、現実には配置誤差によって、上前身頃３７の縁部から１〜２ｍｍ（アップリケ片の誤差や伸びで４ｍｍ位のときもある）はみ出したり、上前身頃３７の縁部から非縁部へ１〜２ｍｍ奥まったりする。また、サテンステッチ４０ｂの生成位置は、上前身頃３７の位置を基準とするのではなく、アップリケ片１７の位置を基準とする。つまり、返しステッチ部４０２は、上前身頃３７の縁部から開始するのではなく、アップリケ片１７の重合縁１９から開始する。
【００４４】
従って、図１５〜図１７に示すように、アップリケ片１７の重合縁１９が上前身頃３７の縁部からはみ出した場合、もしこのアップリケ片１７のはみ出した部分で返しステッチ部４０２が終了すると、その終了点の糸端はアップリケ片１７にはかかっても、上前身頃３７にはかからないことになり、アップリケ片１７の止めが利かない。
【００４５】
そこで、本実施例では、返しステッチ部４０２を９針乃至１５針生成することにより、返しステッチ部４０２が、アップリケ片１７のはみ出した部分で終了するのではなく、はみ出した部分より非縁部側で終了するようにし、もってその終了点の糸端をアップリケ片１７のみならず上前身頃３７にもかかるようにして、アップリケ片１７の止めが利くようにしている。なお、返しステッチ部４０２の針目数はピッチに左右され、粗なるピッチのときにはより少なくてもよい。
【００４６】
さらに、上記の第一〜第三態様のいずれにおいても、返しステッチ部４０２の最後ステッチ４０２ωには、該最後ステッチ４０２ωの生成端（第一態様では第３５針落ち点Ｓ３５、第二態様では第２５針落ち点Ｓ２５、第三態様では第２３針落ち点Ｓ２３）から、最後ステッチ４０２ωを四等分する三つの針落ち点（第一態様ではＳ３６〜Ｓ３８、第二態様ではＳ２６〜Ｓ２８、第三態様ではＳ２４〜Ｓ２６）に歩く、ステッチ長の短い縫い止めステッチ４０４が重ね縫いされ、最後ステッチ４０２ωの途中すなわち最終針落ち点（第一態様ではＳ３８、第二態様ではＳ２８、第三態様ではＳ２６）で縫い止めステッチ４０４は終了している。この縫い止めステッチ４０４のデータは、サテンステッチデータＤ７ｂを作成する際に自動的に作成され、このデータに基づいて縫い止めステッチ４０４が作成される。
【００４７】
図１８及び図１９は、縫い止めステッチ４０４の別の態様を示している。また、これらの態様では、順ステッチ部（図示略）が上前身頃３７の縁部に対して直角に向かって生成され、返しステッチ部４０２も直角に返すように生成されている。図１８の縫い止めステッチ４０４は、返しステッチ部４０２の最後ステッチ４０２ωの生成端を第１針落ち点Ｓ１とすると、この第１針落ち点Ｓ１から最後ステッチ４０２ωを四等分する三つの針落ち点Ｓ２〜Ｓ４を歩いて重ね縫いされた後、この針落ち点Ｓ４から両針落ち点Ｓ１，Ｓ２の中間の針落ち点Ｓ５に戻って終了する。図１９の縫い止めステッチ４０４は、同じく最後ステッチ４０２ωの生成端を第１針落ち点Ｓ１とすると、この第１針落ち点Ｓ１から針落ち点Ｓ３より下の針落ち点Ｓ２に飛んだ後、三つの針落ち点Ｓ３〜Ｓ５を歩いて重ね縫いされて終了する。これらの縫い止めステッチ４０４のデータも、サテンステッチデータＤ７ｂを作成する際に自動的に作成され、このデータに基づいて縫い止めステッチ４０４が作成される。
【００４８】
なお、図１５〜図１７のいずれの態様を採用するか、あるいは、図１８，図１９のいずれの態様を採用するかは、それぞれキーボード３から制御装置１に指示する。
【００４９】
以上により、切断データＤ２ａ，Ｄ２ｂが記録されたフロッピーディスクＦＤ１と、位置決め用仮縫いデータＤ３ａ，Ｄ３ｂ、止め縫いデータＤ５ａ，Ｄ５ｂ及びサテンステッチデータＤ７ａ，Ｄ７ｂの三つの刺繍データが記録されたフロッピーディスクＦＤ２とが作成される。このフロッピーディスクＦＤ１，ＦＤ２のデータと前記装置とを使用し、次のようにしてアップリケが形成される。
【００５０】
（Ａ）アップリケ片の切断
図１に示すように、カット機１０の盤面１１にアップリケ片の生地１５をセットし、フロッピーディスク装置１４にフロッピーディスクＦＤ１を挿入して、カット機１０を作動させると、切断データＤ２ａ，Ｄ２ｂに基づいてヒートカッタ１２が生地１５に接触しＸ−Ｙ方向に駆動されるため、切断データＤ２ａ，Ｄ２ｂに基づいたアップリケ片１６，１７が熱溶断される。なお、図１では下側のアップリケ片１６のみを示す。
【００５１】
（Ｂ）アップリケ片の刺繍縫い付け
▲１▼  図１に示すように、刺繍ミシン２０の刺繍枠２４に下前身頃３６（又は上前身頃３７）を展張し、フロッピーディスク装置３４にフロッピーディスクＦＤ２を挿入して、刺繍ミシン２０を作動させると、まず、位置決め用仮縫いデータＤ３ａ，３ｂに基づいて刺繍ヘッド２１の針、ベッド２２の釜、刺繍枠２４等が駆動されるため、図１１に示すように、下前身頃３６に仮縫いステッチ４５ａが、上前身頃３７に仮縫いステッチ４５ｂが、各々歩き縫いによって生成される。
【００５２】
このとき、各位置決め用仮縫いデータＤ３ａ，Ｄ３ｂに含まれた開始点Ｓａ，Ｓｂのデータにより、各仮縫いステッチ４５ａ，４５ｂの開始点４５ａｓ，４５ｂｓが各々前身頃３６，３７の重合縁（ユニフォーム上着３５の場合は前立て３６ｆ，３７ｆがあるので、その縁）にくるので、この開始点４５ａｓ，４５ｂｓを刺繍ミシン２０の針位置に合わせやすい。もし、この開始点が重合縁から離れると、針位置に合わせにくくなる。
【００５３】
▲２▼  各仮縫いステッチ４５ａ，４５ｂに沿って、各前身頃３６，３７に各々アップリケ片１６，１７を粘着剤等で貼り付ける。
【００５４】
▲３▼  再び刺繍ミシン２０を作動させると、止め縫いデータＤ５ａ，Ｄ５ｂに基づいて刺繍ヘッド２１の針、ベッド２２の釜、刺繍枠２４等が駆動されるため、図１２に示すように、止め縫いステッチ４６ａ，４６ｂが形成され、これによりアップリケ片１６が下前身頃３６に、アップリケ片１７が上前身頃３７に、各々止め縫いされる。
【００５５】
▲４▼  続いて刺繍ミシン２０を作動させると、サテンステッチデータＤ７ａ，Ｄ７ｂに基づいて刺繍ヘッド２１の針、ベッド２２の釜、刺繍枠２４等が駆動されるため、図１３に示すように、下側のアップリケ片１６にはサテンステッチ４０ａが形成され、これによりアップリケ片１６が下前身頃３６に刺繍縫い付けされる。また、上側のアップリケ片１７には、まず重合縁１９にサテンステッチ４０ｘが形成された後、重合縁１９以外の部分にサテンステッチ４０ｂが形成され、これによりアップリケ片１７が上前身頃３７に刺繍縫い付けされる。
【００５６】
ここで、サテンステッチ４０ａ，４０ｂの糸は、その色彩とアップリケ片１６，１７の色彩とが相異するように選ばれる。例えば、アップリケ片１６，１７が青色のときに、サテンステッチ４０ａ，４０ｂには赤色の糸が使用される。しかし、重合時に「ｇ」字内を横切ることになる上側のアップリケ片１７の重合縁１９のサテンステッチ４０ｘについては、サテンステッチデータＤ７ａ，Ｄ７ｂに含まれた糸替えデータにより、アップリケ片１６，１７の色彩と略同一の青色の糸に切替えられる。よって、このサテンステッチ４０ｘがアップリケの見栄えを悪くすることはない。このように、この実施例では、糸替えデータにより糸を切替えて、重合縁１９とそれ以外の部分（非縁部）とを同じ刺繍ミシン２０で連続的に縫い付けることができ、加工効率を高めることができる。
【００５７】
そして、赤色のサテンステッチ４０ｂは、前述した通り、図１５〜図１７に示す第一〜第三態様で生成され、いずれの態様においても、サテンステッチ４０ｂは、上前身頃３７の縁部すなわち順ステッチ部４０１の生成端で終了するのではなく、順ステッチ部４０１の生成端から上前身頃３７の非縁部へ返すように生成された返しステッチ部４０２で終了するので、その終了点の糸端がほつれにくい。また、アップリケ片１７の重合縁１９が配置誤差によって上前身頃３７の縁部からはみ出した場合でも、返しステッチ部４０２を９針乃至１５針生成することにより、返しステッチ部４０２の終了点の糸端をアップリケ片１７のみならず上前身頃３７にもかかるようにしたので、アップリケ片１７の止めが利く。
【００５８】
さらに、図１５の第一態様によれば、返しステッチ部４０２が略一定ピッチの順ステッチ部４０１と重なるので盛り上がり、総針目数も多くなる。しかし、総針目数が多いので、縫い付け力は強くなる。
【００５９】
また、図１６の第二態様によれば、返しステッチ部４０２が順ステッチ部４０１のジャンプステッチ４３０に重なるのでほとんど盛り上がらず、見栄えが良くなり、総針目数も少なくて済む。
【００６０】
また、図１７の第三態様によれば、返しステッチ部４０２が順ステッチ部４０１の粗ピッチ部分に重なるのでほとんど盛り上がらず、見栄えが良くなり、総針目数も少なくて済む。
【００６１】
また、上記の第一〜第三態様のいずれにおいても、返しステッチ部４０２の最後ステッチ４０２ωには、ステッチ長の短い縫い止めステッチ４０４が重ね縫いされ、最後ステッチ４０２ωの途中すなわち最終針落ち点で縫い止めステッチ４０４は終了しているので、最後ステッチ４０２ωが縫い止めステッチ４０４によって上前身頃３７に強く止められ、糸端がさらにほつれにくくなるとともに、針落ち点が隠されて目立たなくなる。
【００６２】
さらに、図１８及び図１９に示す縫い止めステッチ４０４の変更例は、最後ステッチ４０２ωを往復するように重ね縫いされるので、ほつれ止め効果が高く、特に図１９の変更例は、縫い止めステッチ４０４の一部が縫い止めステッチ４０４の他部を押さえて浮きを防止する。
【００６３】
なお、本発明は、ユニフォーム上着のアップリケ以外にも、アップリケ片の縁部が被加工地の縁部に略合致するように配置される各種アップリケにおいて具体化することができる。さらに、本発明は前記実施例の構成に限定されるものではなく、本発明の趣旨から逸脱しない範囲で適宜変更して具体化できる。
【００６４】
【発明の効果】
以上詳述した通り、請求項１記載のアップリケの刺繍データ作成方法によれば、アップリケ片の重合縁が上前身頃の縁部に略合致するように配置され、アップリケ片を上前身頃に縫い付けるサテンステッチが上前身頃の縁部の近傍で終了した場合でも、サテンステッチの糸端のほつれを防止できるとともに、アップリケ片の縁部が配置誤差により上前身頃の縁部からはみ出た場合でも、アップリケ片の止めが利くという優れた効果を奏する。
【００６５】
上記効果に加え、請求項２記載のアップリケの刺繍データ作成方法によれば、アップリケ片の縁部の縫い付け力が強くなる。
【００６６】
また、請求項３及び４記載のアップリケの刺繍データ作成方法によれば、返しステッチ部がほとんど盛り上がらず、見栄えが良くなり、総針目数も少なくて済む。
【００６７】
また、請求項５記載のアップリケの刺繍データ作成方法によれば、サテンステッチの糸端がさらにほつれにくくなるとともに、最終針落ち点が隠されて目立たなくなる。
【図面の簡単な説明】
【図１】本発明の実施例に使用する装置の全体構成図である。
【図２】本実施例の切断データ及び刺繍データの作成方法を示すフローチャート図である。
【図３】（ａ）は総合輪郭データ及び重合縁データの入力工程を示す説明図、（ｂ）はそのときのディスプレイ表示を示す正面図である。
【図４】作成された切断データを示す説明図である。
【図５】作成された位置決め用仮縫いデータの説明図である。
【図６】作成された内周データを示す説明図である。
【図７】作成された止め縫いデータを示す説明図である。
【図８】止め縫いデータの別例を示す説明図である。
【図９】作成された外周データの説明図である。
【図１０】（ａ）は作成されたサテンステッチデータの説明図、（ｂ）は同データの部分拡大図である。
【図１１】仮縫いステッチを形成した下前身頃及び上前身頃の部分正面図である。
【図１２】止め縫いステッチによりアップリケ片を止め縫いした下前身頃及び上前身頃の部分正面図である。
【図１３】サテンステッチによりアップリケ片を刺繍縫い付けした下前身頃及び上前身頃の部分正面図である。
【図１４】同アップリケを備えたユニフォーム上着の正面図である。
【図１５】図１３のＸＶ〜ＸＶＩＩ矢示部における第一態様の拡大正面図である。
【図１６】図１３のＸＶ〜ＸＶＩＩ矢示部における第二態様の拡大正面図である。
【図１７】図１３のＸＶ〜ＸＶＩＩ矢示部における第三態様の拡大正面図である。
【図１８】縫い止めステッチの変更例を示す拡大正面図である。
【図１９】縫い止めステッチの別の変更例を示す拡大正面図である。
【図２０】従来構造のアップリケを備えたユニフォーム上着の正面図である。
【図２１】同アップリケの部分正面図である。
【図２２】図２１のＸＸＩＩ矢示部における拡大正面図である。
【符号の説明】
１６    下側のアップリケ片
１７    上側のアップリケ片
１８    下側のアップリケ片の重合縁
１９    上側のアップリケ片の重合縁
３５    ユニフォーム上着
３６    下前身頃
３７    上前身頃
４０ａ  下側のアップリケ片のサテンステッチ
４０ｂ  上側のアップリケ片のサテンステッチ
４０ｘ  上側のアップリケ片の重合縁のサテンステッチ
４０１    順ステッチ部
４０２    返しステッチ部
４０２ω  最後ステッチ
４０３    ジャンプステッチ
４０４    縫い止めステッチ
Ｄｔ    総合輪郭データ
Ｄａ    下側のアップリケ片の重合縁データ
Ｄｂ    上側のアップリケ片の重合縁データ
Ｄ１ａ，Ｄ１ｂ  輪郭データ
Ｄ２ａ，Ｄ２ｂ  切断データ
Ｄ３ａ，Ｄ３ｂ  位置決め用仮縫いデータ
Ｄ４ａ，Ｄ４ｂ  内周データ
Ｄ５ａ，Ｄ５ｂ  止め縫いデータ
Ｄ６ａ，Ｄ６ｂ  外周データ
Ｄ７ａ，Ｄ７ｂ  サテンステッチデータ
【図１】
0003878228.tif 000002
【図２】
0003878228.tif 000003
【図３】
0003878228.tif 000004
【図４】
0003878228.tif 000005
【図５】
0003878228.tif 000006
【図６】
0003878228.tif 000007
【図７】
0003878228.tif 000008
【図８】
0003878228.tif 000009
【図９】
0003878228.tif 000010
【図１０】
0003878228.tif 000011
【図１１】
0003878228.tif 000012
【図１２】
0003878228.tif 000013
【図１３】
0003878228.tif 000014
【図１４】
0003878228.tif 000015
【図１５】
0003878228.tif 000016
【図１６】
0003878228.tif 000017
【図１７】
0003878228.tif 000018
【図１８】
0003878228.tif 000019
【図１９】
0003878228.tif 000020
【図２０】
0003878228.tif 000021
【図２１】
0003878228.tif 000022
【図２２】
0003878228.tif 000023